【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
発光トラ１ジスタと、
前記発光トランジスタのゲートへの、ビデオ信号の電位の供給を制御する第１のスイッチ
ング素子と、
前記発光トランジスタのソースとドレイン間に流れる電流を制御する第２のスイッチング
素子と、
を有し、
書き込み期間において、前記第１のスイッチング素子がオンになり、前記ビデオ信号の電位が前記発光トランジスタのゲートに印加されてオンになるとともに、前記第２のスイッチング素子がオンになり、前記発光トランジスタのソースとドレイン間に電流が流れて前記発光トランジスタが発光し、
表示期間において、前記第１のスイッチング素子がオフになり、前記発光トランジスタのゲートの電位は保持されるとともに、前記第２のスイッチング素子がオンになり、前記発光トランジスタのソースとドレイン間に電流が流れて前記発光トランジスタが発光し、 消去期間において、前記第１のスイッチング素子及び前記第２のスイッチング素子がオフになり、前記発光トランジスタを消光させることを特徴とする発光装置。
【請求項２】
ソース及びドレインのうち、いずれか一方に第１の電位が与えられる発光トランジスタと
、
ビデオ信号の電位が与えられる信号線と、
第２の電位が与えられる電源線と、
前記発光トランジスタのゲートと、前記信号線との電気的な接続を制御する第１のスイッ
チング素子と、
前記発光トランジスタのソース及びドレインのうち、いずれか他方と前記電源線との電気
的な接続を制御する第２のスイッチング素子と、
を有し、
書き込み期間において、前記第１のスイッチング素子がオンになり、前記ビデオ信号の電位が前記発光トランジスタのゲートに印加されてオンになるとともに、前記第２のスイッチング素子がオンになり、前記発光トランジスタのソース及びドレインのうち、いずれか他方に前記第２の電位が印加されて前記発光トランジスタが発光し、
表示期間において、前記第１のスイッチング素子がオフになり、前記発光トランジスタのゲートの電位は保持されるとともに、前記第２のスイッチング素子がオンになり、前記発光トランジスタのソース及びドレインのうち、いずれか他方に前記第２の電位が印加されて前記発光トランジスタが発光し、
消去期間において、前記第１のスイッチング素子及び前記第２のスイッチング素子がオフになり、前記発光トランジスタを消光させることを特徴とする発光装置。
【請求項３】
発光トランジスタと、
ビデオ信号の電位が与えられる信号線と、
前記発光トランジスタのゲートと、前記信号線との電気的な接続を制御する第１のスイッ
チング素子と、
前記発光トランジスタのソース及びドレインのうち、いずれか一方への、第１の電位の供
給を制御する第２のスイッチング素子と、
前記発光トランジスタのソース及びドレインのうち、いずれか他方に電気的に接続され、
なおかつ第２の電位が与えられる電源線と、
を有し、
書き込み期間において、前記第１のスイッチング素子がオンになり、前記ビデオ信号の電位が前記発光トランジスタのゲートに印加されてオンになるとともに、前記第２のスイッチング素子がオンになり、前記発光トランジスタのソース及びドレインのうち、いずれか一方に前記第１の電位が印加されて前記発光トランジスタが発光し、
表示期間において、前記第１のスイッチング素子がオフになり、前記発光トランジスタのゲートの電位は保持されるとともに、前記第２のスイッチング素子がオンになり、前記発光トランジスタのソース及びドレインのうち、いずれか一方に前記第１の電位が印加されて前記発光トランジスタが発光し、
消去期間において、前記第１のスイッチング素子及び前記第２のスイッチング素子がオフになり、前記発光トランジスタを消光させることを特徴とする発光装置。
【請求項４】
発光トランジスタと、
前記発光トランジスタのゲートへの、ビデオ信号の電位の供給を制御する第１のスイッチ
ング素子と、
前記発光トランジスタのゲートとソースの電気的な接続を制御する第２のスイッチング素
子と、
を有し、
書き込み期間において、前記第１のスイッチング素子がオンになり、前記ビデオ信号の電位が前記発光トランジスタのゲートに印加されてオンになるとともに、前記第２のスイッチング素子がオフになり、前記発光トランジスタが発光し、
表示期間において、前記第１のスイッチング素子がオフになり、前記発光トランジスタのゲートの電位は保持されるとともに、前記第２のスイッチング素子がオフになり、前記発光トランジスタが発光し、
消去期間において、前記第１のスイッチング素子がオフになり、前記第２のスイッチング素子がオンになり、前記発光トランジスタのゲートとソースが電気的に接続されて前記発光トランジスタを消光させることを特徴とする発光装置。
【請求項５】
ソース及びドレインのうち、いずれか一方に第１の電位が与えられる発光トランジスタと
、
ビデオ信号の電位が与えられる信号線と、
第２の電位が与えられ、なおかつ前記発光トランジスタのソース及びドレインのうち、い
ずれか他方に電気的に接続される電源線と、
前記発光トランジスタのゲートと、前記信号線との電気的な接続を制御する第１のスイッ
チング素子と、
前記発光トランジスタのゲートへの、前記第１の電位の供給を制御する第２のスイッチン
グ素子と、
を有し、
書き込み期間において、前記第１のスイッチング素子がオンになり、前記ビデオ信号の電位が前記発光トランジスタのゲートに印加されてオンになるとともに、前記第２のスイッチング素子がオフになり、前記発光トランジスタが発光し、
表示期間において、前記第１のスイッチング素子がオフになり、前記発光トランジスタのゲートの電位は保持されるとともに、前記第２のスイッチング素子がオフになり、前記発光トランジスタが発光し、
消去期間において、前記第１のスイッチング素子がオフになり、前記第２のスイッチング素子がオンになり、前記発光トランジスタのゲートに前記第１の電位が印加されて前記発光トランジスタを消光させることを特徴とする発光装置。
【請求項６】
ソース及びドレインのうち、いずれか一方に第１の電位が与えられる発光トランジスタと
、
ビデオ信号の電位が与えられる信号線と、
第２の電位が与えられ、なおかつ前記発光トランジスタのソース及びドレインのうち、い
ずれか他方に電気的に接続される電源線と、
前記発光トランジスタのゲートと、前記信号線との電気的な接続を制御する第１のスイッ
チング素子と、
前記発光トランジスタのゲートと、前記電源線との電気的な接続を制御する第２のスイッ
チング素子と、
を有し、
書き込み期間において、前記第１のスイッチング素子がオンになり、前記ビデオ信号の電位が前記発光トランジスタのゲートに印加されてオンになるとともに、前記第２のスイッチング素子がオフになり、前記発光トランジスタが発光し、
表示期間において、前記第１のスイッチング素子がオフになり、前記発光トランジスタのゲートの電位は保持されるとともに、前記第２のスイッチング素子がオフになり、前記発光トランジスタが発光し、
消去期間において、前記第１のスイッチング素子がオフになり、前記第２のスイッチング素子がオンになり、前記発光トランジスタのゲートと前記電源線が電気的に接続されて前記発光トランジスタを消光させることを特徴とする発光装置。